【手続補正書】
【提出日】平成27年11月2日(2015.11.2)
【手続補正１】
【補正対象書類名】特許請求の範囲
【補正対象項目名】全文
【補正方法】変更
【補正の内容】
【特許請求の範囲】
【請求項１】
視線検出位置を決定するためのシステムであって、前記システムは、
装着者の頭部上に装着されるように構成されたデバイスと、
前記装着者の眼を照射するように方向付けられた前記デバイス上に取り付けられた１つ以上の照明光源と、
前記デバイス上に取り付けられかつ前記眼を視認するために配置された複数の眼検出用カメラと、
前記眼検出用カメラによって取得された前記眼の画像を分析して、前記１つ以上の照明光源から前記眼から反射された１つ以上の閃光を特定し、前記１つ以上の閃光に相対する前記眼の特徴の位置を特定して、前記装着者によって視認されている位置を決定するように、前記眼検出用カメラへ接続されたプロセッサと、を含み、
前記眼検出用カメラは、前記眼が通常の移動範囲全体において移動した際に前記眼の瞳孔が前記眼検出用カメラのうち少なくとも１つからの眼検出用カメラ画像内に出現するように、相互に十分に間隔を空けて配置される、システム。
【請求項２】
前記デバイス上に取り付けられ、前記装着者の環境内の基準位置を視認するために配置されたシーンカメラであって、前記プロセッサは、前記視野のシーン画像を取得することと、前記１つ以上の閃光に相対する前記眼の特徴の位置を相関付けて、前記装着者によって視認されている位置を前記シーン画像内において決定することとを行うように前記シーンカメラへ接続される、シーンカメラ、
をさらに含む、請求項１に記載のシステム。
【請求項３】
視線検出位置を決定するためのシステムであって、
装着者の頭部上に装着されるように構成されたデバイスと、
前記デバイスを装着している装着者の眼の視野内において前記デバイス上に取り付けられた１つ以上の照明光源であって、前記１つ以上の照明光源は、前記眼を照明するように配置され、前記１つ以上の照明光源は、前記視野内の前記装着者の視覚との干渉を最小化するように構成される、照明光源と、
前記デバイス上に取り付けられかつ前記眼を視認するために配置された眼検出用カメラと、
前記眼検出用カメラによって取得された前記眼の画像を分析して、前記１つ以上の照明光源から前記眼から反射された１つ以上の閃光を特定し、前記１つ以上の閃光に相対する前記眼の特徴の位置を特定して、前記装着者によって視認されている位置を決定するように前記眼検出用カメラに接続されたプロセッサと、
を含む、システム。
【請求項４】
前記１つ以上の照明光源は、ＬＥＤおよびＯＬＥＤエミッタのうち１つを含む、請求項１または３に記載のシステム。
【請求項５】
前記デバイスは、前記装着者の視線内において前記デバイスに取り付けられたレンズを含み、前記１つ以上の照明光源は、前記眼を照明するように前記レンズ上に設けられた複数の光源を含む、請求項１または３に記載のシステム。
【請求項６】
前記光源は、０．２ミリメートルより幅が小さい、請求項５に記載のシステム。
【請求項７】
前記システムは、前記光源を電源へ電気的に接続するための導線を前記レンズ上にさらに含み、前記導線は、前記視野内の前記装着者の視覚との干渉を最小化するように構成される、請求項５に記載のシステム。
【請求項８】
前記導線は透明である、請求項７に記載のシステム。
【請求項９】
前記導線は、０．２ミリメートルより幅が小さい、請求項７に記載のシステム。
【請求項１０】
前記複数の光源は、相互に十分に間隔を空けて配置され、前記眼が通常の移動範囲全体を移動した際、光源からの少なくとも１つの閃光が前記眼検出用カメラからの画像内の前記眼の前記角膜領域の表面上に確実に出現する、請求項５に記載のシステム。
【請求項１１】
前記光源は、前記レンズ上の２次元アレイ内に設けられる、請求項１０に記載のシステム。
【請求項１２】
前記アレイの１つ以上の光源を選択的に活性化させるように前記光源に接続された前記レンズ上の導線をさらに含む、請求項１１に記載のシステム。
【請求項１３】
前記１つ以上の照明光源は、前記装着者の眼の前方において前記デバイスに取り付けられたレンズ内に埋設された複数の反射面と、光を前記レンズ内へ方向付けて前記複数の反射面から前記眼に向かって反射させるように構成された１つ以上の光源とを含む、請求項１または３に記載のシステム。
【請求項１４】
前記１つ以上の光源の輝度レベルを調節して、前記眼検出用カメラの視野内において所望の輝度レベルを提供するように、前記照明光源の１つ以上の光源へ接続されたコントローラをさらに含む、請求項１または３に記載のシステム。
【請求項１５】
前記コントローラは、単一の光源を照明して単一の閃光を生成するように構成され、前記プロセッサは、前記視線検出カメラ画像内の前記単一の閃光を分離するように構成される、請求項１４に記載のシステム。
【請求項１６】
前記眼検出用カメラは、ＣＣＤおよびＣＭＯＳ検出器のうち１つを含む、請求項１または３に記載のシステム。
【請求項１７】
前記眼検出用カメラは、眼検出用カメラ画像の生成のための活性化領域を含み、前記活性化領域表面は曲線状である、請求項１または３に記載のシステム。
【請求項１８】
前記デバイス上に取り付けられ、前記眼を視認するために配置された１つ以上のさらなる眼検出用カメラであって、前記プロセッサは、異なる視認角度から前記眼の位置を検出するように前記１つ以上のさらなる眼検出用カメラへ接続される、さらなる眼検出用カメラ、
をさらに含む、請求項３に記載のシステム。
【請求項１９】
前記眼検出用カメラは、前記眼が通常の移動範囲全体を移動した場合に前記眼の瞳孔が前記眼検出用カメラのうち少なくとも１つからの眼検出用カメラ画像内に出現するように、相互に十分に間隔を空けて配置される、請求項１８に記載のシステム。
【請求項２０】
前記デバイス上に取り付けられ、前記装着者の環境内の基準位置を視認するために配置されたシーンカメラであって、前記プロセッサは、前記視野のシーン画像を取得することと、前記１つ以上の閃光に相対する前記眼の特徴の位置を相関付けて、前記装着者によって視認されている位置を前記シーン画像内において決定することとを行うように前記シーンカメラへ接続される、シーンカメラ、
をさらに含む、請求項３に記載のシステム。
【請求項２１】
視線検出位置を決定するためのシステムであって、
装着者の頭部上に装着されるように構成されたデバイスであって、前記デバイスは、前記デバイスの装着時において前記装着者の眼の前方に配置されたレンズを含む、デバイスと、
前記デバイス上に取り付けられかつ前記装着者の環境内の基準位置を視認するために配置されたシーンカメラと、
前記装着者の眼を照明するように前記レンズ上に取り付けられた複数の照明光源と、
前記デバイス上に取り付けられかつ前記眼を視認するために配置された複数の眼検出用カメラと、
前記シーンカメラおよび眼検出用カメラに接続されたプロセッサであって、前記プロセッサは、前記シーンカメラおよび眼検出用カメラからの画像を分析して、シーンカメラ画像からのシーン基準位置および眼検出用カメラ画像からの眼検出位置を用いて、前記装着者によって視認されている位置を決定する、プロセッサと、
を含む、システム。
【請求項２２】
前記照明光源は、前記レンズ内に埋設された複数の反射面と、１つ以上の光源とを含み、前記１つ以上の光源は、光を前記レンズ内に方向付けて、前記複数の反射面から前記眼へと反射させるように構成される、請求項２１に記載のシステム。
【請求項２３】
前記照明光源は、前記デバイスを装着している前記装着者にとって視認不能である、請求項２１に記載のシステム。
【請求項２４】
前記照明光源は、前記レンズ上の複数の光源と、前記光源へ接続された前記レンズ上の複数の導電性経路とを含み、前記システムは、前記光源を選択的に活性化させるように前記経路へ接続されたコントローラをさらに含む、請求項２１に記載のシステム。
【請求項２５】
前記複数の光源は、前記眼が通常の移動範囲全体において移動した際に、光源からの少なくとも１つの閃光が前記眼検出用カメラからの画像内の前記眼の角膜領域の表面上に確実に出現するように、相互に十分に間隔を空けて配置される、請求項２４に記載のシステム。
【請求項２６】
前記コントローラは、単一の光源を照明して単一の閃光を生成するように構成され、前記プロセッサは、前記視線検出カメラ画像内の前記単一の閃光を分離するように構成される、請求項２４に記載のシステム。
【請求項２７】
視線検出のための方法であって、
装着者の頭部上にデバイスを配置することであって、前記デバイスは、１つ以上の照明光源と、前記装着者の眼に向かって方向付けられた複数の眼検出用カメラとを含み、前記眼検出用カメラは、前記眼の視野の重複を提供するように、前記デバイス上の異なる位置に配置されることと、
前記眼検出用カメラによって取得された前記眼の画像を分析して、前記１つ以上の照明光源から前記眼から反射された１つ以上の閃光を特定し、前記１つ以上の閃光に相対する前記眼の特徴の位置を特定して、前記装着者によって視認されている位置を決定することと、
を含む、方法。
【請求項２８】
前記眼の特徴の位置は、前記眼検出用カメラの画像から監視され、前記眼の特徴がその他の眼検出用カメラに相対して前記視野の中心に最も近接する眼検出用カメラを特定し、前記眼の画像を分析することは、前記特定された眼検出用カメラからの画像を分析して、前記装着者によって視認されている位置を決定することを含む、請求項２７に記載の方法。
【請求項２９】
前記方法は、前記眼の特徴がその他の眼検出用カメラに相対して前記視野の中心に最も近接する眼検出用カメラを定期的に特定することをさらに含み、前記特定された眼検出用カメラからの画像を分析して、前記装着者によって視認されている位置を決定することを含む、請求項２８に記載の方法。
【請求項３０】
前記眼の特徴の位置は、前記眼検出用カメラの画像から監視され、前記眼の画像を分析することは、前記画像内の前記眼の特徴の位置を平均化して、前記装着者によって視認されている位置を決定することを含む、請求項２７に記載の方法。
【請求項３１】
補正空間マッピング機能を前記画像に適用して、前記眼の球面収差および曲率のうち少なくとも１つに対応することをさらに含む、請求項３０に記載の方法。
【請求項３２】
前記眼検出用カメラの画像からの前記眼の特徴の位置は、平均化より前に、前記眼の球面収差および曲率のうち少なくとも１つに対応するように重み付けされる、請求項３０に記載の方法。
【請求項３３】
視線検出のための方法であって、
装着者の頭部上にデバイスを配置することであって、前記デバイスは、複数の照明光源と、前記装着者の眼に向かって方向付けられた眼検出用カメラとを含み、前記照明光源は、前記装着者の視野内に配置され、前記視野内の前記装着者の視覚との干渉を最小化するように構成されることと、
前記眼検出用カメラによって取得された前記眼の画像を分析して、前記照明光源のうち１つ以上から前記眼から反射された１つ以上の閃光を特定し、前記１つ以上の閃光に相対する前記眼の特徴の位置を特定して、前記装着者によって視認されている位置を決定することと、
を含む、方法。
【請求項３４】
前記照明光源のうち１つのみが一度に活性化され、それにより、前記眼の画像内に単一の閃光を生成し、前記眼の特徴の位置を前記単一の閃光に相対して特定して、前記装着者によって視認されている位置を決定する、請求項３３に記載の方法。
【請求項３５】
複数の前記照明光源が一度に活性化され、それにより、複数の同時閃光を前記眼の画像内に生成し、前記眼の特徴の位置を前記複数の閃光に相対して特定して、前記装着者によって視認されている位置を決定する、請求項３３に記載の方法。